(57)【要約】【課題】屋内外作業また登山やスポーツや野外訓練などあらゆる分野で着用される吸汗性に優れたバンダナキャップを提供する。【解決手段】人体の前頭部から後頸部または肩峰部までの長さを覆うガーゼ生地広巾部材１の前頭部側に、前頭部から側頭部と乳突部を通って後頭部までの長さを覆うガーゼ生地狭巾布部材の頭頂側前頭相当部または頭頂相当部にガーゼ生地吸汗パット３を縫い付けたガーゼ生地頭周部締着用狭巾部材２を、Ｔ形状に縫い合わせたバンダナキャップ。【選択図】図１
0003191868.tif 000002
【実用新案登録請求の範囲】
【請求項１】
人体の前頭部から頭頂部を通って後頭部あるいはさらに後頸部または肩峰部までの長さを覆うガーゼ生地広巾部材の前頭部側に、前頭部から側頭部と乳突部を通って後頭部までの長さを覆うガーゼ生地狭巾布部材の頭頂側前頭相当部または頭頂相当部にガーゼ生地の一枚または二枚以上重ね合わせた任意な形状と大きさの吸汗パットを縫い付けたガーゼ生地頭周部締着用狭巾部材を、Ｔ形状に縫い合わせて縫製した事を特徴とするガーゼ生地の吸汗性バンダナキャップ。
【考案の詳細な説明】
【技術分野】
【０００１】  本考案は、料理や掃除などの屋内作業また炎天下や寒さの中で汗や埃に塗れながら農作業や建設業などの屋外作業をするとき、野外訓練に励むとき、登山やスポーツを楽しむときなどは陽射しや紫外線を遮蔽する帽子（またはキャップ）としてまたヘルメットの下地着用衣として着用され、さらには顔や手足などの人体に外傷や骨折を負ったときの包帯や三角布などの救急代用品として使用されるガーゼ生地の吸汗性バンダナキャップに関するものである。
【背景技術】
【０００２】  屋外作業において、炎天下の紫外線対策や熱中症対策から、デザインが異なる各種の帽子が着用されている。例えば特開平９−５９８１７号公報の「鍔の頭部周帯を後方に向けて展開形成しかつ後方において閉じ合わせる事によって、製作工程を簡素化しまた着用したときの密着感を取り除いた日除け帽子」、実用新案登録第３０８３４７０号公報の「前頭部側に鍔を付けたヘルメット型帽子の後方周縁部に、紫外線などの太陽光線を遮蔽するための日除け部材が風等の影響を受けて捲れ上がらない様に適宜位置で重なる部材（布製のフード如きもの）を付加した首部日除け帽子」、特開２００７−２３８２号公報の「帽子のサンバイザーの顔面部分を除く縁とひさしの部分に３枚仕立ての垂れ幕を着脱自在に設けた、風に飛ばされ難い垂れ幕型日焼け防止帽子」など、各種の日焼け防止型の帽子が開発され多く着用されている。【０００３】  またバンダナ型の日除け帽子も多く着用されている。バンダナ型の日除け帽子とは、三角形や四角形など任意な形状に縫製した布生地を頭全体を覆う様に巻いたバンダナの端部を後頭部で結び付けて固定し着用するバンダナ風帽子で、そのデザインは様々である。例えば、特開２００６−２９１４３０号公報の「冠り物の表面に布を巻いた布巻き冠り物。すなわち、首部などを紫外線等の有害な光線や雨や雪から守るバンダナ風の冠り物」、特開２０１０−１５９５０５号公報の「頭に装着される際に三角形状の形態になる様に形成され、該三角形の一辺が頭周に装着され他の二辺が前記した一辺の装着部の対角側の外方に膨出する構造に製作されたもので、直射日光を浴びて体力が消耗する事を抑制しまた蚊から頭部を保護するバンダナ」などがある。
【特許文献１】  特開平９−５９８１７号公
【特許文献２】  実用新案登録第３０８３４７０号公報
【特許文献３】  特開２００７−２３８２号公報
【特許文献４】  特開２００６−２９１４３０号公報
【特許文献５】  特開２０１０−１５９５０５号公報
【考案の開示】
【考案が解決しようとする課題】
【０００３】  上記した何れの日除け帽子もバンダナ風帽子も、その発明や考案の目的を適うものである。しかしながら、日除け帽子については、日除けフードが視界の邪魔にならずまた汗を掻かない軽度の作業をする屋外作業においては好都合な着用品であるが、屋外作業において作業するとき、数種類の大きさのヘルメットから自分に適合する大きさのヘルメットをを選びさらに安全作業上で支障がない様に顎紐の長さを調整して着用する事が義務付けられているが、不安定な作業体勢の過酷な作業現場において、着用したヘルメットが目の前の障害物に衝突して傾いて視界を遮り、一瞬安全作業を脅かす事もあった。またヘルメットの周囲に日除けフードの垂れ幕を付けた日除け帽子は、作業する人の視界や聴角を狭めまた他人の注意や伝言を遮断する問題から、安全第一を志す作業現場において好ましいものでなかった。またバンダナ風の帽子は、素材が木綿生地で作られているのが一般的で軽く着用抵抗感もなく、強い陽射しを受ける屋外作業において流れ出る汗をハンケチ代わりに吸収するため、好都合な着用品である。しかしながら、木綿生地は吸収した汗や水で縮み乾きが遅くなる欠点から、夏場の強い陽射しを受ける屋外作業や火と水で高温多湿になる食堂や中華店の厨房では、長い時間着用したバンダナが吸収した汗から悪臭を放つため、再々取替えねばならない問題があった。
【考案の開示】
【考案が解決しようとする課題】
【０００４】  本考案者は、暑さや危険を避け身の安全を確保するために着用されるヘルメットまた汗取りや日除け用品として着用されるバンダナがもつ個々の着用機能を損なう事なく、高い吸汗性とより優れた安全性を確保すると共にあらゆる用途に使用できるバンダナキャップを創作する事を目的に種々検討した結果、縫製し易い簡単なデザインで激しく動く野外訓練や登山またはスポーツまでも安全に着用できるガーゼ生地の吸汗性バンダナキャップを考案した。
【課題を解決するための手段】
【０００５】  本考案は上記の目的を達成したもので、その要旨は、人体の前頭部から頭頂部を通って後頭部あるいはさらに後頸部または肩峰部までの長さを覆うガーゼ生地広巾部材の前頭部側に、前頭部から側頭部と乳突部を通って後頭部までの長さを覆うガーゼ生地狭巾布部材の頭頂側前頭相当部または頭頂相当部にガーゼ生地の一枚または二枚以上重ね合わせた任意な形状と大きさの吸汗パットを縫い付けたガーゼ生地頭周部締着用狭巾部材を、Ｔ形状に縫い合わせて縫製したガーゼ生地の吸汗性バンダナキャップである。
【考案の効果】
【０００６】  本考案の吸汗性バンダナキャップは、バンダナがもつ本来の機能を損なう事なくバンダナとして単独で使用する事も可能であり、ヘルメットの下地着用衣として人の頭に密着し、着用して作業する人の視界や聴角を狭める事もなくしかも他人の注意や伝言を遮断する事もなく、流れる汗を吸引しまた速やかに乾燥し常に快感気分で作業を遂行する。また本考案の吸汗性バンダナキャップは、ガーゼ生地の裁断時に出る無駄な端切れを少なめる直線型のデザインで縫製されているため縫製時間が短く、製作コストも安価である。また素材にガーゼ生地を使用するため、災害時の血止帯やハンケチさらには細く畳んで防塵マスクに使用されるなど、汎用性が広い。
【考案を実施するための最良の形態】
【０００７】  以下、本考案の吸汗性バンダナキャップの構造について、図面を参照しながら詳細に説明する。
図１は本考案の平面展開図、図２は本考案品を着用したときの側面図を示す。図１において、１はガーゼ生地の広巾部材である。ガーゼ生地広巾部材１は、人体の前頭部から頭頂部を通って後頭部あるいはさらに後頸部または肩峰部までの長さを覆う長尺なガーゼ生地の一枚また強さを必要とする場合は二枚以上重ね合わせた布部材で、人肌に柔らかく触れ、頭部や後頸部などで掻いた汗を吸収する特長がある。ガーゼ生地は、従来のバンダナで使用される木綿生地よりも綿糸を少し目粗く織った布地で、薄くかつ軽量で吸湿性や速乾性にも優れた特性を有する。この様な特性を有するガーゼを生地を使用した本考案のバンダナキャップは、厚く嵩張らないためヘルメットの下地着用衣として最適であり、速乾性から汗の悪臭を放つ事もなく、汚れても洗濯し直ちに着用できる特長がある。２は、ガーゼ生地の頭周部締着狭巾部材である。ガーゼ生地頭周部締着狭巾部材２は、頭頂側前頭相当部または頭頂相当部にガーゼ生地の一枚また多くの量の汗を吸引したい場合は二枚以上を重ね合わせて矩形形や楕円形など任意な形状の吸汗バット３を縫い付けかつ前頭部から側頭部と乳突部を通って後頭部までの長さを覆う細長いガーゼ生地で、前記したガーゼ生地広巾部材１の前頭部側でＴ形状（ガーゼ生地広巾部材１を縦布とし、ガーゼ生地頭周部締着狭巾部材２を横布とする意味）に縫い付けられている。すなわち、本考案の吸汗性バンダナキャップは、図２に着用図を示す様に、ガーゼ生地広巾部材１で前頭部から後頭部あるいは後頸部または肩峰部までの長さを覆う様に着用し、ガーゼ生地頭周部締着狭巾部材２の吸汗パット３を頭頂側前頭相当部などにあてがいながら、該ガーゼ生地頭周部締着狭巾部材２の両側から頭周部を締めながら後頭部で締結するデザインに縫製されている。【０００８】  上記の様に縫製されまた頭部に着用される本考案の吸汗性バンダナキャップは、従来のバンダと同様の着用する以外に、必要によってはヘルメットの下地着用衣として着用してもよい。
【産業上の利用可能性】
【０００９】  以上の様な本考案の吸汗性バンダナキャップは、吸汗性と速乾性と通気性に優れたガーゼ生地を吸汗素材として使用する事によって、頭肌やヘルメット内が爽やかな空気に触れるため、過激な運動のスポーツや野外訓練に励む人達の必需品として、今後益々着用される可能性が高い。
【図面の簡単な説明】
【００１０】
【図１】本考案の吸汗性バンダナキャップの平面展開図を示す。
【図２】本考案の吸汗性バンダナキャップの着用図を示す。
【図面の符号】
【００１１】    １  ガーゼ生地広巾部材
２  ガーゼ生地頭周部締着狭巾部材
３  吸汗パット
【図１】
0003191868.tif 000003
【図２】
0003191868.tif 000004